(57)【要約】      （修正有）【課題】錠剤等の粒状物を容器より取り出すにあたり、余分な錠剤等を取り出すことなく、１個ずつ又は必要所要個数ずつの錠剤等を小出しで確実に取り出せる粒状物容器を提供する。【解決手段】底付き容器本体１の上部開口部３に被せ蓋４を設けた錠剤等粒状物容器において、容器本１内側上部に上部開口部３に比しやゝ小径の開口部をもつ短筒状底付き小容器２を容器本体内周面との間に所要の空隙Ｓを存して収設し、該小容器２の中間部周壁面に粒状物１個又は所要少数を通過させる窓穴５を設けると共に、該小容器２の底面及び周壁面下部に小孔６を穿設して乾燥剤７を収容し得る。【選択図】図２
0003165135.tif 000002
【実用新案登録請求の範囲】
【請求項１】
底付き容器本体の上部開口部に被せ蓋を設けた錠剤等の粒状物容器において、容器本体内側上部に上部開口部に比しやゝ小径の開口部をもつ短筒状底付き小容器を容器本体内周面との間に所要の空隙を存して収設し、該小容器の中間部周壁面に粒状物１個又は所要少数を通過させる窓穴を設けると共に、該小容器の底面及び周壁面下部に小孔を穿設して乾燥剤を収容し得る如くなしたことを特徴とする小出し可能な錠剤等粒状物容器。
【考案の詳細な説明】
【技術分野】
【０００１】
本考案はサプリメント錠剤などの粒状物（以下、錠剤等という）を収納し、取り出し時、一度に多くの錠剤等が出ることなく、必要所要数を確実に小出し可能な粒状物容器に関するものである。
【背景技術】
【０００２】
錠剤等を収納する容器は通常、底付きの容器本体と被せ蓋からなっており、錠剤等の取り出しに当たっては被せ蓋をはずして取り出すのが一般的であった。しかし、これらの容器では被せ蓋を外して内部の錠剤等を取り出す時、往々にして一度に多くの錠剤等が出てきて、容易に正確な服用が行われない欠点があった。
【０００３】
そのため、これに対処すべく、容器を複数の個室にして仕切り、開口部に内蓋を設けて、該蓋に錠剤取り出し穴を設け、内蓋の回転により各個室に適合するようにした錠剤容器（例えば特許文献１参照）や、容器本体と錠剤抑えとキャップからなり、容器本体の口頚部には口頚部内周面と所定間隔をあけた環状位置に垂設した筒状の錠剤抑えが装着され、錠剤抑えには錠剤通過用の窓孔が設けられると共に、乾燥剤が収納される錠剤収納容器（例えば特許文献２参照）などが提案されている。
【先行技術文献】
【特許文献】
【０００４】
【特許文献１】実開平５−４４８７７号公報
【特許文献２】特開２００２−２２５９５７号公報
【考案の概要】
【考案が解決しようとする課題】
【０００５】
しかし、上記提案による各容器は何れも容器の構造を全く変更させるもので頗る複雑であり、従来より一般に用いられている容器の利用は殆ど不可能であった。
【０００６】
本考案は上述の如き実状に鑑み、既知の容器に一部、付加するだけで内容物である錠剤等の所要必要量の小出しの目的を達成させることを企図することにより、従来一般に使用されている容器に対して簡単に適用することができ、しかも確実に錠剤等の小出しを可能ならしめることを目的とするものである。
【課題を解決するための手段】
【０００７】
即ち、上記目的に適合する本考案粒状物容器の特徴は、底付き容器本体の上部開口部に被せ蓋を設けた錠剤等収納容器において、容器本体内側上部に上部開口部に比しやゝ小径の上部開口部をもつ短筒状底付き小容器を容器本体内周面との間に所要の空隙を存して収設し、該小容器の中間部周壁面に粒状物１個又は所要少数を通過させる窓穴を設けると共に、該小容器の底面及び周壁面下部に多数の小孔を穿設して乾燥剤を収容し得る如くなした構成にある。ここで、小容器周壁面の窓穴は１個に限らず、所要数の粒状物を小出しするに足れば２〜３個所設けることも差し支えない。
【考案の効果】
【０００８】
本考案は上記の如く容器本体の内部に小出し用の短筒状小容器を収設したものであり、容器本体内部に収納されている錠剤等を、容器本体を軽く振ることにより窓穴を通して１個又は少数を小容器内に入れ小容器上部の開口部よりその分だけ取り出すことにより、錠剤等が多数同時に排出されるのを阻止して１個又は少数の錠剤等を確実に取り出すことができる。また、小容器底部に乾燥剤を収納することにより錠剤等を防湿することができる。
【図面の簡単な説明】
【０００９】
【図１】本考案に係る粒状物容器の全体図である。
【図２】上記粒状物容器の縦断面図である。
【図３】小容器の斜視外観図である。
【考案を実施するための形態】
【００１０】
以下、更に添付図面に基づいて本考案粒状物容器の具体的形態を説明する。図１は本考案に係る容器の全体図、図２は縦断面図、図３は小容器の斜視図であり、本考案粒状物容器は図示の容器本体１と、該容器本体１の内側に収設された小容器２とによって構成されている。容器本体１は既知の錠剤等容器に見られる通常の容器であり、内部に錠剤等Ａを収納し、上部にやや小径の首部を有して開口部３に被せ蓋４が設けられているが、別段、かかる形状に限るものではなく、上部に開口部を有し、容器本体内部に本考案の趣旨に適合した小容器を収設できるものであれば使用可能である。
【００１１】
一方、容器本体１内部に収設される小容器２は容器本体上部の開口部３に比しやや小径の上部開口部３′をもつ底付き短筒状の容器であり、容器本体の上部開口部３を通じて挿脱することによって容器本体１内部に収設され、又は取り出されるこの小容器２は本考案の重要な特徴をなし、筒状容器の中間部周壁に錠剤等が通過可能な窓穴５が設けられている。
【００１２】
窓穴５は錠剤等Ａを１個又は２〜３個の少数などの所要少数を通過させ得る大きさであることが好適であり、余り多くの錠剤等が通過する大きさでは折角の小出しの役割りを果たさなくなり、好ましくない。また、この窓穴５は小出し量に合わせて１個のみでもよく、また２個あるいは複数個設けてもよい。窓穴５を設ける位置としては小容器２の周壁中間部が好ましく、特に容器本体１内部に小容器２を収設したとき、容器本体１内壁と小容器２外周壁との間に錠剤等が通過可能な所要の空隙Ｓを有して、該空隙Ｓを通り錠剤等Ａが窓穴５より小容器２内に導入されるような位置に設けるのが好適である。
【００１３】
なお、この短筒状小容器２は錠剤等の乾燥を保持するため、内部に乾燥剤７を収納し、防湿させるようにすることが好ましく、そのため前記窓穴４以外に小容器２の周壁面下部２ａ及び底面２ｂに多数の小孔６を穿設して容器本体１内ならびに小容器２内に乾燥剤の効用を発散せしめている。ここで小容器２の形状は容器本体１の形状に合わせ、円筒形に限らず、断面三角形，五角形などの形状のこともある。
【００１４】
このようにして小容器２を容器本体１の内側に収設した粒状物容器に対し被せ蓋４をとり、両容器の開口部３，３′を重合状態で保持して、適宜、容器本体１を振り、容器本体１に収納されている錠剤等Ａを容器本体１と小容器２の空隙を通過させ、小容器２の窓穴５を通じて確実に１粒あるいは数粒宛など、所要の必要量に応じて小容器２内に移し入れ、上部開口部より取り出し服用する。かくして窓穴５を通じ取り出す関係上、余計な錠剤等Ａは出ず、必要量を確実にとりだすことができる。
【符号の説明】
【００１５】
Ａ：錠剤等粒状物
１：容器本体
２：小容器
３：容器本体の上部開口部
３′：小容器の上部開口部
４：被せ蓋
５：窓穴
６：乾燥用小孔
７：乾燥剤
【図１】
0003165135.tif 000003
【図２】
0003165135.tif 000004
【図３】
0003165135.tif 000005